(57)【要約】【課題】第１の部材に第２の部材を接合している部材の接合構造において、第１の部材に第２の部材を強固に接合する。【解決手段】第１の部材３から突出している第１のオスネジ５と、第１のメスネジ部１５が第１のオスネジ５に螺合しているナット７と、ナット７の第２のメスネジ部１７に螺合している第２のオスネジ９と、第１のオスネジ５とナット７と第２のオスネジ９とがオスネジ・ナット用孔１９内に入るように、第１の部材３に設置されている第２の部材１１と、オスネジ・ナット用孔１９とオスネジ５およびナット７および第２のオスネジ９との間の空間に充填されている充填材１３とを有する。【選択図】図２
2018197422.tif 000002
【特許請求の範囲】
【請求項１】
第１の部材から突出している第１のオスネジと、
第１のメスネジ部と第２のメスネジ部とが設けられており、前記第１のメスネジ部が前記第１のオスネジに螺合しているナットと、
基端部が前記ナットの第２のメスネジ部に螺合している第２のオスネジと、
オスネジ・ナット用孔が設けられており、前記第１のオスネジと前記ナットと前記第２のオスネジとが前記オスネジ・ナット用孔内に入るように、前記第１の部材に設置されている第２の部材と、
前記第２の部材のオスネジ・ナット用孔と前記第１のオスネジとの間の第１の空間と、前記第２の部材のオスネジ・ナット用孔と前記ナットとの間の第２の空間と、前記第２の部材のオスネジ・ナット用孔と前記第２のオスネジとの間の第３の空間との３つの空間うちの少なくとも前記第３の空間に充填されている充填材と、
を有することを特徴とする部材の接合構造。
【請求項２】
請求項１に記載の部材の接合構造において、
前記第２のオスネジには、この中心軸に沿って延びている貫通孔が設けられており、
前記ナット内には、前記第２のオスネジの貫通孔と通じている内部空間が形成されており、前記ナットには、前記内部空間と前記ナットの外部とをつないでいる貫通孔が形成されていることを特徴とする部材の接合構造。
【請求項３】
請求項２に記載の部材の接合構造において、
前記第２の部材には、前記ナットの貫通孔を覗くことができる貫通孔もしくは切り欠きが設けられていることを特徴とする部材の接合構造。
【請求項４】
請求項１〜請求項３のいずれか１項に記載の部材の接合構造において、
前記第１の部材と前記第２の部材との間には、前記第１のオスネジが螺合しているとともに前記第２の部材のオスネジ・ナット用孔を塞いでいるスペーサが設けられていることを特徴とする部材の接合構造。
【請求項５】
請求項４に記載の部材の接合構造において、
前記第２の部材のオスネジ・ナット用孔の開口部と前記第１の部材および前記スペーサとの外部とをつないでいる切り欠きもしくは貫通孔が、前記第２の部材、前記スペーサの少なくともいずれかに設けられていることを特徴とする部材の接合構造。
【請求項６】
請求項１〜請求項５のいずれか１項に記載の部材の接合構造において、
前記第２のオスネジの径が、前記第１のオスネジの径よりも大きくなっていることを特徴とする部材の接合構造。
【請求項７】
第１の部材から突出している第１のオスネジに、メスネジが形成されているスペーサを、前記第１の部材に接するとともに前記第１のオスネジが突出するように螺合させて設置するスペーサ設置工程と、
前記スペーサ設置工程で設置されたスペーサから突出している第１のオスネジの先端部に、第１のメスネジ部と第２のメスネジ部とが設けられているナットの前記第１のメスネジ部を螺合させて設置するナット設置工程と、
前記ナット設置工程で設置されたナットの前記第２のメスネジ部に、第２のオスネジの基端部を螺合させて設置する第２のオスネジ設置工程と、
オスネジ・ナット用孔が設けられている第２の部材を、前記第１のオスネジと前記ナットと前記第２のオスネジとが前記オスネジ・ナット用孔内に入るともに、前記スペーサに接するように設置する第２の部材設置工程と、
前記第２の部材設置工程での第２の部材の設置によって形成された、前記第２の部材のオスネジ・ナット用孔と前記第１のオスネジとの間の第１の空間と、前記第２の部材のオスネジ・ナット用孔と前記ナットとの間の第２の空間と、前記第２の部材のオスネジ・ナット用孔と前記第２のオスネジとの間の第３空間との３つの空間うちの少なくとも前記第３の空間に、充填材を充填する充填材設置工程と、
を有することを特徴とする部材の接合方法。
【請求項８】
第１の部材から突出している第１のオスネジに、メスネジが形成されているスペーサを、前記第１の部材から離すとともに前記第１のオスネジが突出するように螺合させて設置するスペーサ設置工程と、
前記スペーサ設置工程で設置されたスペーサから突出している第１のオスネジの先端部に、第１のメスネジ部と第２のメスネジ部とが設けられているナットの前記第１のメスネジ部を螺合させて設置するナット設置工程と、
前記ナット設置工程で設置されたナットの前記第２のメスネジ部に、第２のオスネジの基端部を螺合させて設置する第２のオスネジ設置工程と、
オスネジ・ナット用孔が設けられている第２の部材を、前記第１のオスネジと前記ナットと前記第２のオスネジとが前記オスネジ・ナット用孔内に入るともに、前記スペーサに接するように設置する第２の部材設置工程と、
前記第２の部材設置工程での第２の部材の設置によって形成された、前記第２の部材のオスネジ・ナット用孔と前記第１のオスネジとの間の第１の空間と、前記第２の部材のオスネジ・ナット用孔と前記ナットとの間の第２の空間と、前記第２の部材のオスネジ・ナット用孔と前記第２のオスネジとの間の第３空間との３つの空間うちの少なくとも前記第３の空間に、充填材を充填する充填材設置工程と、
を有することを特徴とする部材の接合方法。
【請求項９】
第１の部材から突出している第１のオスネジの先端部に、第１のメスネジ部と第２のメスネジ部とが設けられているナットの前記第１のメスネジ部を螺合させて設置するナット設置工程と、
前記ナット設置工程で設置されたナットの前記第２のメスネジ部に、第２のオスネジの基端部を螺合させて設置する第２のオスネジ設置工程と、
オスネジ・ナット用孔が設けられている第２の部材を、前記第１のオスネジと前記ナットと前記第２のオスネジとが前記オスネジ・ナット用孔内に入るともに、前記第１の部材に接するように設置する第２の部材設置工程と、
前記第２の部材設置工程での第２の部材の設置によって形成された、前記第２の部材のオスネジ・ナット用孔と前記第１のオスネジとの間の第１の空間と、前記第２の部材のオスネジ・ナット用孔と前記ナットとの間の第２の空間と、前記第２の部材のオスネジ・ナット用孔と前記第２のオスネジとの間の第３空間との３つの空間うちの少なくとも前記第３の空間に、充填材を充填する充填材設置工程と、
を有することを特徴とする部材の接合方法。
【請求項１０】
第１の部材の両側に突出している第１のオスネジと、
第１のメスネジ部と第２のメスネジ部とが設けられており、前記第１のメスネジ部が前記第１の部材の一方の側に突出している第１のオスネジに螺合している第１のナットと、
基端部が前記第１のナットの第２のメスネジ部に螺合している第２のオスネジと、
第１のオスネジ・ナット用孔が設けられており、前記第１の部材の一方の側に突出している前記第１のオスネジと前記第１のナットと前記第２のオスネジとが前記第１のオスネジ・ナット用孔内に入るように、前記第１の部材に設置されている第２の部材と、
前記第２の部材の第１のオスネジ・ナット用孔と前記第１の部材の一方の側に突出している第１のオスネジとの間の第１の空間と、前記第２の部材の第１のオスネジ・ナット用孔と前記第１のナットとの間の第２の空間と、前記第２の部材の第１のオスネジ・ナット用孔と前記第２のオスネジとの間の第３空間との３つの空間うちの少なくとも前記第３の空間に充填されている第１の充填材と、
第３のメスネジ部と第４のメスネジ部とが設けられており、前記第３のメスネジ部が前記第１の部材の他方の側に突出している第１のオスネジに螺合している第２のナットと、
基端部が前記第２のナットの第４のメスネジ部に螺合している第３のオスネジと、
第２のオスネジ・ナット用孔が設けられており、前記第１の部材の他方の側に突出している前記第１のオスネジと前記第２のナットと前記第３のオスネジとが前記第２のオスネジ・ナット用孔内に入るように、前記第１の部材に設置されている第３の部材と、
前記第３の部材の第２のオスネジ・ナット用孔と前記第１の部材の他方の側に突出している第１のオスネジとの間の第４の空間と、前記第３の部材の第２のオスネジ・ナット用孔と前記第２のナットとの間の第５の空間と、前記第３の部材の第２のオスネジ・ナット用孔と前記第３のオスネジとの間の第６の空間との３つの空間うちの少なくとも前記第６の空間に充填されている第２の充填材と、
を有することを特徴とする部材の接合構造。
【発明の詳細な説明】
【技術分野】
【０００１】
本発明は、部材の接合構造および部材の接合方法に係り、特に、オスネジとナットと充填材とを用いて部材同士を接合するものに関する。
【背景技術】
【０００２】
従来、第１の部材（たとえば建屋を構成する建築部材）から突出しているオスネジに、第２の部材（たとえば建屋を構成する建築部材）を係合させて、第１の部材に第２の部材を接合している部材の接合構造が知られている。
【０００３】
ここで、従来の技術に関連する文献として、たとえば、特許文献１を掲げる。
【先行技術文献】
【特許文献】
【０００４】
【特許文献１】特開２０１５−１０１９０２号公報
【発明の概要】
【発明が解決しようとする課題】
【０００５】
ところで、第１の部材に第２の部材を接合している部材の接合構造では、第１の部材に第２の部材を強固に接合することが重要である。
【０００６】
本発明は、第１の部材に第２の部材を接合している部材の接合構造において、第１の部材に第２の部材を強固に接合することができるものを提供することを目的とする。
【課題を解決するための手段】
【０００７】
請求項１に記載の発明は、第１の部材から突出している第１のオスネジと、第１のメスネジ部と第２のメスネジ部とが設けられており、前記第１のメスネジ部が前記第１のオスネジに螺合しているナットと、基端部が前記ナットの第２のメスネジ部に螺合している第２のオスネジと、オスネジ・ナット用孔が設けられており、前記第１のオスネジと前記ナットと前記第２のオスネジとが前記オスネジ・ナット用孔内に入るように、前記第１の部材に設置されている第２の部材と、前記第２の部材のオスネジ・ナット用孔と前記第１のオスネジとの間の第１の空間と、前記第２の部材のオスネジ・ナット用孔と前記ナットとの間の第２の空間と、前記第２の部材のオスネジ・ナット用孔と前記第２のオスネジとの間の第３の空間との３つの空間うちの少なくとも前記第３の空間に充填されている充填材とを有する部材の接合構造である。
【０００８】
請求項２に記載の発明は、請求項１に記載の部材の接合構造において、前記第２のオスネジには、この中心軸に沿って延びている貫通孔が設けられており、前記ナット内には、前記第２のオスネジの貫通孔と通じている内部空間が形成されており、前記ナットには、前記内部空間と前記ナットの外部とをつないでいる貫通孔が形成されている部材の接合構造である。
【０００９】
請求項３に記載の発明は、請求項２に記載の部材の接合構造において、前記第２の部材には、前記ナットの貫通孔を覗くことができる貫通孔もしくは切り欠きが設けられている部材の接合構造である。
【００１０】
請求項４に記載の発明は、請求項１〜請求項４のいずれか１項に記載の部材の接合構造において、前記第１の部材と前記第２の部材との間には、前記第１のオスネジが螺合しているとともに前記第２の部材のオスネジ・ナット用孔を塞いでいるスペーサが設けられている部材の接合構造である。
【００１１】
請求項５に記載の発明は、請求項４に記載の部材の接合構造において、前記第２の部材のオスネジ・ナット用孔の開口部と前記第１の部材および前記スペーサとの外部とをつないでいる切り欠きもしくは貫通孔が、前記第２の部材、前記スペーサの少なくともいずれかに設けられている部材の接合構造である。
【００１２】
請求項６に記載の発明は、請求項１〜請求項５のいずれか１項に記載の部材の接合構造において、前記第２のオスネジの径が、前記第１のオスネジの径よりも大きくなっている部材の接合構造である。
【００１３】
請求項７に記載の発明は、第１の部材から突出している第１のオスネジに、メスネジが形成されているスペーサを、前記第１の部材に接するとともに前記第１のオスネジが突出するように螺合させて設置するスペーサ設置工程と、前記スペーサ設置工程で設置されたスペーサから突出している第１のオスネジの先端部に、第１のメスネジ部と第２のメスネジ部とが設けられているナットの前記第１のメスネジ部を螺合させて設置するナット設置工程と、前記ナット設置工程で設置されたナットの前記第２のメスネジ部に、第２のオスネジの基端部を螺合させて設置する第２のオスネジ設置工程と、オスネジ・ナット用孔が設けられている第２の部材を、前記第１のオスネジと前記ナットと前記第２のオスネジとが前記オスネジ・ナット用孔内に入るともに、前記スペーサに接するように設置する第２の部材設置工程と、前記第２の部材設置工程での第２の部材の設置によって形成された、前記第２の部材のオスネジ・ナット用孔と前記第１のオスネジとの間の第１の空間と、前記第２の部材のオスネジ・ナット用孔と前記ナットとの間の第２の空間と、前記第２の部材のオスネジ・ナット用孔と前記第２のオスネジとの間の第３空間との３つの空間うちの少なくとも前記第３の空間に、充填材を充填する充填材設置工程とを有する部材の接合方法である。
【００１４】
請求項８に記載の発明は、第１の部材から突出している第１のオスネジに、メスネジが形成されているスペーサを、前記第１の部材から離すとともに前記第１のオスネジが突出するように螺合させて設置するスペーサ設置工程と、前記スペーサ設置工程で設置されたスペーサから突出している第１のオスネジの先端部に、第１のメスネジ部と第２のメスネジ部とが設けられているナットの前記第１のメスネジ部を螺合させて設置するナット設置工程と、前記ナット設置工程で設置されたナットの前記第２のメスネジ部に、第２のオスネジの基端部を螺合させて設置する第２のオスネジ設置工程と、オスネジ・ナット用孔が設けられている第２の部材を、前記第１のオスネジと前記ナットと前記第２のオスネジとが前記オスネジ・ナット用孔内に入るともに、前記スペーサに接するように設置する第２の部材設置工程と、前記第２の部材設置工程での第２の部材の設置によって形成された、前記第２の部材のオスネジ・ナット用孔と前記第１のオスネジとの間の第１の空間と、前記第２の部材のオスネジ・ナット用孔と前記ナットとの間の第２の空間と、前記第２の部材のオスネジ・ナット用孔と前記第２のオスネジとの間の第３空間との３つの空間うちの少なくとも前記第３の空間に、充填材を充填する充填材設置工程とを有する部材の接合方法である。
【００１５】
請求項９に記載の発明は、第１の部材から突出している第１のオスネジの先端部に、第１のメスネジ部と第２のメスネジ部とが設けられているナットの前記第１のメスネジ部を螺合させて設置するナット設置工程と、前記ナット設置工程で設置されたナットの前記第２のメスネジ部に、第２のオスネジの基端部を螺合させて設置する第２のオスネジ設置工程と、オスネジ・ナット用孔が設けられている第２の部材を、前記第１のオスネジと前記ナットと前記第２のオスネジとが前記オスネジ・ナット用孔内に入るともに、前記第１の部材に接するように設置する第２の部材設置工程と、前記第２の部材設置工程での第２の部材の設置によって形成された、前記第２の部材のオスネジ・ナット用孔と前記第１のオスネジとの間の第１の空間と、前記第２の部材のオスネジ・ナット用孔と前記ナットとの間の第２の空間と、前記第２の部材のオスネジ・ナット用孔と前記第２のオスネジとの間の第３空間との３つの空間うちの少なくとも前記第３の空間に、充填材を充填する充填材設置工程とを有する部材の接合方法である。
【００１６】
請求項９に記載の発明は、第１の部材の両側に突出している第１のオスネジと、第１のメスネジ部と第２のメスネジ部とが設けられており、前記第１のメスネジ部が前記第１の部材の一方の側に突出している第１のオスネジに螺合している第１のナットと、基端部が前記第１のナットの第２のメスネジ部に螺合している第２のオスネジと、第１のオスネジ・ナット用孔が設けられており、前記第１の部材の一方の側に突出している前記第１のオスネジと前記第１のナットと前記第２のオスネジとが前記第１のオスネジ・ナット用孔内に入るように、前記第１の部材に設置されている第２の部材と、前記第２の部材の第１のオスネジ・ナット用孔と前記第１の部材の一方の側に突出している第１のオスネジとの間の第１の空間と、前記第２の部材の第１のオスネジ・ナット用孔と前記第１のナットとの間の第２の空間と、前記第２の部材の第１のオスネジ・ナット用孔と前記第２のオスネジとの間の第３空間との３つの空間うちの少なくとも前記第３の空間に充填されている第１の充填材と、第３のメスネジ部と第４のメスネジ部とが設けられており、前記第３のメスネジ部が前記第１の部材の他方の側に突出している第１のオスネジに螺合している第２のナットと、基端部が前記第２のナットの第４のメスネジ部に螺合している第３のオスネジと、第２のオスネジ・ナット用孔が設けられており、前記第１の部材の他方の側に突出している前記第１のオスネジと前記第２のナットと前記第３のオスネジとが前記第２のオスネジ・ナット用孔内に入るように、前記第１の部材に設置されている第３の部材と、前記第３の部材の第２のオスネジ・ナット用孔と前記第１の部材の他方の側に突出している第１のオスネジとの間の第４の空間と、前記第３の部材の第２のオスネジ・ナット用孔と前記第２のナットとの間の第５の空間と、前記第３の部材の第２のオスネジ・ナット用孔と前記第３のオスネジとの間の第６の空間との３つの空間うちの少なくとも前記第６の空間に充填されている第２の充填材とを有する部材の接合構造である。
【発明の効果】
【００１７】
本発明によれば、第１の部材に第２の部材を接合している部材の接合構造において、第１の部材に第２の部材を強固に接合することができるという効果を奏する。
【図面の簡単な説明】
【００１８】
【図１】本発明の実施形態に係る部材の接合構造の概略構成を示す図である。
【図２】図１におけるＩＩ―ＩＩ断面を示す図である。
【図３】図２におけるＩＩＩ―ＩＩＩ断面を示す図である。
【図４】図３におけるＩＶ矢視図である。
【図５】部材の接合方法（手順）を示す図である。
【図６】変形例に係る部材の接合構造の概略構成を示す図である。
【発明を実施するための形態】
【００１９】
本発明の実施形態に係る部材の接合構造１は、たとえば、建屋等の構造物に採用されるものであり、図１〜図４で示すように、第１の部材３から突出している第１のオスネジ５と、ナット７と、第２のオスネジ９と、第２の部材１１と、充填材（たとえば硬化した接着剤）１３とを備えて構成されている。
【００２０】
第１の部材３は、たとえば、合板もしくは木材もしくはコンクリート等の建築用部材であり、第１のオスネジ５は、たとえば、建築用部材に一体的に設置されているＡＢＲ４９０等の金属製のアンカーボルトで構成されている。
【００２１】
ナット７は、鋼等の金属で構成されている。ナット７には、第１のメスネジ部１５と第２のメスネジ部１７とが設けられている。第１のメスネジ部１５の中心軸と第２のメスネジ部１７の中心軸とはお互いが一致している。また、ナット７は、第１のメスネジ部１５が第１のオスネジ５の先端部（第１の部材３から離れている部位；上側の部位）に螺合している。
【００２２】
第２のオスネジ９は、たとえば、転造によって形成された鋼等の金属製の全ネジボルトもしくは、端部にオスネジが形成された異形鉄筋で構成されている。また、第２のオスネジ９は、この基端部（第１の部材側の部位；下側の部位）がナット７の第２のメスネジ部１７に螺合している。
【００２３】
なお、第１のオスネジ５や第２のオスネジ９や第１のメスネジ部１５や第２のメスネジ部１７のネジは、たとえば三角ネジで構成されており、さらにはメートルネジで構成されている。また、第２のオスネジ９の径（有効径）は、第１のオスネジ５の径（有効径）よりも大きくなっている。
【００２４】
また、第２のオスネジ９の径（有効径）が、第１のオスネジ５の径（有効径）よりも小さくなっていてもよいし、第２のオスネジ９の径（有効径）と、第１のオスネジ５の径（有効径）とがお互いに等しくなっていてもよい。
【００２５】
第２の部材１１は、たとえば、合板で構成されている建築部材である。第２の部材１１には、第１のオスネジ５とナット７と第２のオスネジ９とが挿入されているオスネジ・ナット用孔１９が設けられている。なお、第２の部材１１として木材等の他の材料（未硬化の接着剤がある程度浸み込む材料であることが望ましい）やコンクリートや合成樹脂が採用されていてもよい。
【００２６】
そして、第１のオスネジ５とナット７と第２のオスネジ９とがオスネジ・ナット用孔１９内に所定の位置および所定の姿勢で入るように、第２の部材１１が、第１の部材３に設置されている。
【００２７】
また、部材の接合構造１では、第２の部材１１のオスネジ・ナット用孔１９と第１のオスネジ５との間に第１の空間２１が形成されており、第２の部材１１のオスネジ・ナット用孔１９とナット７（第２のオスネジ９の僅かな下端部を含む）との間に第２の空間２３が形成されており、第２の部材１１のオスネジ・ナット用孔１９と第２のオスネジ９との間に第３の空間２５が形成されており、これらの各空間２１、２３、２５はお互いがつながっている。
【００２８】
充填材１３は、３つの空間２１、２３、２５の総てに隙間なく充填材１３が充填されているが、３つの空間２１、２３、２５うちの少なくとも第３の空間２５に充填されている構成であってもよい。
【００２９】
第２のオスネジ９には、図３で示すように、この中心軸に沿って延びている貫通孔２６が設けられている。また、ナット７内には、第２のオスネジ９の貫通孔２６と通じている内部空間（第１のオスネジ５の先端と第２のオスネジ９の基端との間の内部空間）２９が形成されている。ナット７（ナット７の肉部）には、内部空間２９とナット７の外部とをつないでいる貫通孔（たとえば管用テーパメスネジ）２７が形成されている。
【００３０】
第２の部材１１には、図１で示すように、ナット７の貫通孔２７を覗くことができる貫通孔３１が設けられているが、貫通孔３１に代えて切り欠きを設けてもよい。
【００３１】
第１の部材３と第２の部材１１との間には、第１のオスネジ５が螺合しているとともに第２の部材１１のオスネジ・ナット用孔１９を塞いでいるスペーサ３３が設けられている。このスペーサ３３は、第１の部材３と第２の部材１１との間隔を調整するために設けられている。
【００３２】
また、部材の接合構造１には、切り欠き３５が設けられている。切り欠き３５は、第２の部材１１のオスネジ・ナット用孔１９の開口部（入口部；出口部）と、第２の部材１１およびスペーサ３３との外部とをつないでいる。切り欠き３５は、第２の部材１１に設けられているが、第２の部材１１に設けることに代えてもしくは加えて、スペーサ３３に設けられていてもよい。なお、切り欠き３５に代えて貫通孔を設けてもよい。
【００３３】
第２のオスネジ９の貫通孔２６は、第１の空間２１、第２の空間２３、第３の空間２５に充填材（未硬化の接着剤）１３を注入するための孔であり、第２の部材１１の切り欠き３５は、第１の空間２１、第２の空間２３、第３の空間２５に充填材１３を注入するときの空気抜きをするためのものである。
【００３４】
また、第２の部材１１の切り欠き３５は、第１の空間２１、第２の空間２３、第３の空間２５に充填材１３が十分に充填されたことを確認するための孔である。
【００３５】
すなわち、第１の空間２１、第２の空間２３、第３の空間２５の総てに充填材１３が充填されると、第２の部材１１の切り欠き３５に充填材１３が出てくるので、この出てきた充填材１３を目視することで、第１の空間２１、第２の空間２３、第３の空間２５に充填材１３が十分に充填されたことを確認することができる。
【００３６】
なお、充填材１３を注入するときには、たとえばパイプ３７が使用される。パイプ３７の一方の端部は、ナット７の貫通孔２７に設置されており（螺合しており）、貫通孔２７のところから第２の部材１１の貫通孔３１を通って延びており、他端部が第２の部材１１の外部に突出している。
【００３７】
そして、パイプ３７を用いて充填材（未硬化の接着剤）１３を注入すると、パイプ３７内を流れてきた充填材１３が、ナット７の内部空間２９と第２のオスネジ９の貫通孔２６とを通って、第１の空間２１、第２の空間２３、第３の空間２５に充填されこの後硬化する。なお、充填材１３の注入が終了した後には、パイプ３７を取り除き第２の部材１１の貫通孔３１を埋めることが望ましい。
【００３８】
第２のオスネジ９の先端（ナット７とは反対側の端）にはスリット３９が形成されている。これにより、オスネジ・ナット用孔１９の底面と第２のオスネジ９の先端との隙間（上下方向における隙間）が小さくても各空間２１、２３、２５内に充填材１３が吐出されやすくなる。
【００３９】
ここで、部材の接合構造１について、例を掲げてさらに詳しく説明する。
【００４０】
第１の部材３の上面４１は、水平な平面状になっており、第１のオスネジ５は、複数本が所定の間隔をあけて上面４１から上方に起立している。
【００４１】
第２の部材１１は、矩形な平板状に形成されており、厚さ方向が図２の左右方向になっており、下面４３が平面状になっており、オスネジ・ナット用孔１９は、第１のオスネジ５と同じ間隔で、下面４３から上方に向かってあけられている。
【００４２】
オスネジ・ナット用孔１９は、大径部４５と小径部４７とを備えて構成されている。大径部４５の中心軸と小径部４７の中心軸とはお互いが一致しており、大径部４５が下側に位置しており、小径部４７が上側に位置している。
【００４３】
大径部４５内には、第１のオスネジ５とナット７と第２のオスネジ９の下端部とが収まっており、小径部４７内には、第２のオスネジ９の中間部と上端部（大部分の部位）とが収まっている。第１の空間２１や第２の空間２３は円筒状になっており、第３の空間２５は有底円筒状になっている。
【００４４】
スペーサ３３は、中央部に円形状の貫通孔（第１のオスネジ５が螺合しているメスネジ）が形成されている円板状、もしくは、矩形な平板状に形成されている。
【００４５】
スペーサ３３の下面は、第１の部材３の上面４１に接触しており、スペーサ３３の上面は、第２の部材１１の下面４３に接触している。また、スペーサ３３によって、オスネジ・ナット用孔１９の開口部が、切り欠き３５のところ除いてほぼ塞がれている。
【００４６】
次に、部材の接合構造１を得るための部材の接合方法について説明する。
【００４７】
まず、第１の部材３から第１のオスネジ５が突出しているものとする（図５（ａ）参照）。
【００４８】
この状態で、メスネジが形成されているスペーサ３３を、第１の部材３に接するとともに第１のオスネジ５が突出するように、第１のオスネジ５に螺合させて設置する（スペーサ設置工程）。
【００４９】
続いて、スペーサ設置工程で設置されたスペーサ３３から突出している第１のオスネジ５の先端部に、第１のメスネジ部１５と第２のメスネジ部１７とが設けられているナット７の第１のメスネジ部１５を螺合させて設置する（ナット設置工程）。
【００５０】
続いて、ナット設置工程で設置されたナット７の第２のメスネジ部１７に、第２のオスネジ９の基端部を螺合させて設置する（第２のオスネジ設置工程；第５（ｂ）参照）。
【００５１】
続いて、オスネジ・ナット用孔１９が設けられている第２の部材１１を、第１のオスネジ５とナット７と第２のオスネジ９とがオスネジ・ナット用孔１９内に入るともに、スペーサ３３に接するように設置する（第２の部材設置工程；第５（ｃ）参照）。
【００５２】
続いて、第２の部材設置工程での第２の部材１１の設置によって形成された、第２の部材１１のオスネジ・ナット用孔１９と第１のオスネジ５との間の第１の空間２１と、第２の部材１１のオスネジ・ナット用孔１９とナット７（第２のオスネジ９の一部を含む）との間の第２の空間２３と、第２の部材１１のオスネジ・ナット用孔１９と第２のオスネジ９との間の第３空間２５との３つの空間うちの少なくとも第３の空間２５に、充填材１３を充填し、充填した充填材１３を硬化させる（充填材設置工程；図５（ｄ）。
【００５３】
なお、実際には、３つの空間２１、２３、２５の総て（オスネジ・ナット用孔１９と、第１のオスネジ５およびナット７および第２のオスネジ９との間の空間の総て）に充填材１３を充填し硬化させる。
【００５４】
部材の接合構造１によれば、第１の部材３から突出している第１のオスネジ５と、第１のメスネジ部１５が第１のオスネジ５に螺合しているナット７と、基端部がナット７の第２のメスネジ部１７に螺合している第２のオスネジ９と、第１のオスネジ５とナット７と第２のオスネジ９とがオスネジ・ナット用孔１９内に入るように第１の部材３に設置されている第２の部材１１とを備えており、第１の空間２１と第２の空間２３と第３空間２５とに充填材１３が充填されているので、第２の部材１１と、第１のオスネジ５およびナット７および第２のオスネジ９とがお互いに強固に一体化しており、第１の部材３に第２の部材１１が強固に接合されている。
【００５５】
また、部材の接合構造１によれば、第２のオスネジ９に貫通孔２６が設けられており、ナット７内に内部空間２９が形成されており、ナット７の肉部に内部空間２９とナット７の外部とをつないでいる貫通孔２７が形成されているので、第２の部材１１に別途貫通孔を設けることなく、各空間２１、２３、２５内に充填材１３を容易にかつ確実に充填することができ、第２の部材１１の外観を良好なものにすることができる。
【００５６】
また、部材の接合構造１によれば、第２の部材１１にナット７の貫通孔２７を覗くことができる貫通孔３１が設けられているので、この貫通孔３１を通して、各空間２１、２３、２５内に充填材１３を注入することができる。
【００５７】
また、部材の接合構造１によれば、第１の部材３と第２の部材１１との間に、第１のオスネジ５が螺合しており第２の部材１１のオスネジ・ナット用孔１９を塞いでいるスペーサ３３が設けられているので、スペーサ３３の厚さを調整することで第１の部材３と第２の部材１１との間隔を調整することができるともに、空間２１、２３、２５内に注入された未硬化の接着剤１３が空間２１、２３、２５の外部にこぼれることが防止される。
【００５８】
また、部材の接合構造１によれば、第２の部材１１のオスネジ・ナット用孔１９の開口部と第２の部材１１およびスペーサ３３との外部とをつないでいる切り欠き３５が、第２の部材１１に設けられているので、空間２１、２３、２５内に充填材１３を容易にかつ確実に充填することができる。なお、貫通孔３１を代用することで、切り欠き３５を無くしてもよい。
【００５９】
また、部材の接合構造１によれば、たとえば、第２のオスネジ９の径が、第１のオスネジ５の径よりも大きくなっており、第１のオスネジ５がコンクリート等の硬いものに設けられており、第２の部材１１が合板や木材で構成されている場合、強度の小さい第２の部材１１を、第２のオスネジ９の強固に固定することができる。
【００６０】
ところで、図１〜図４、図５（ｃ）（ｄ）、図６では、スベーサ３３が、第１の部材３に接しているが、スペーサ３３や第２の部材１１等が、図１〜図４、図５（ｃ）（ｄ）、図６で示している状態よりも上方に位置していることで、第１の部材３とスペーサ３３とが所定の距離だけ離れていてもよい。
【００６１】
このように構成することで、第１の部材３に対する第２の部材１１の位置（たとえば設置高さ）を適宜調整することができる。
【００６２】
第１の部材３とスペーサ３３とが離れている場合の部材の接合構造１を得るための部材の接合方法について説明する。
【００６３】
まず、第１の部材３から第１のオスネジ５が突出しているものとする。
【００６４】
この状態で、第１の部材３から突出している第１のオスネジ５に、メスネジが形成されているスペーサ３３を、第１の部材３から離すとともに第１のオスネジ５が突出するように螺合させて設置する（スペーサ設置工程）。
【００６５】
スペーサ３３の設置位置の調整は、上述したように、第２の部材１１の位置（たとえば設置高さ）を調整するためになされる。
【００６６】
続いて、スペーサ設置工程で設置されたスペーサ３３から突出している第１のオスネジ５の先端部に、第１のメスネジ部１５と第２のメスネジ部１７とが設けられているナット７の第１のメスネジ部１５を螺合させて設置する（ナット設置工程）。
【００６７】
続いて、ナット設置工程で設置されたナット７の第２のメスネジ部１７に、第２のオスネジ９の基端部を螺合させて設置する（第２のオスネジ設置工程）。
【００６８】
続いて、オスネジ・ナット用孔１９が設けられている第２の部材１１を、第１のオスネジ５とナット７と第２のオスネジ９とがオスネジ・ナット用孔１９内に入るともに、スペーサ３３に接するように設置する（第２の部材設置工程）。
【００６９】
続いて、第２の部材設置工程での第２の部材１１の設置によって形成された、第２の部材１１のオスネジ・ナット用孔１９と第１のオスネジ５との間の第１の空間２１と、第２の部材１１のオスネジ・ナット用孔１９とナット７との間の第２の空間２３と、第２の部材１１のオスネジ・ナット用孔１９と第２のオスネジ９との間の第３空間との３つの空間２５うちの少なくとも第３の空間２５に、充填材１３を充填する（充填材設置工程）。
【００７０】
また、部材の接合構造１において、スペーサ３３を無くして、第１の部材３と第２の部材１１が直接接触するようにしてもよい。この場合、第１の部材３が第２の部材１１のオスネジ・ナット用孔１９の開口部を塞いでいる。
【００７１】
この場合の部材の接合構造１を得るための部材の接合方法について説明する。
【００７２】
まず、第１の部材３から第１のオスネジ５が突出しているものとする。
【００７３】
この状態で、第１のオスネジ５の先端部に、第１のメスネジ部１５と第２のメスネジ部１７とが設けられているナット７の第１のメスネジ部１５を螺合させて設置する（ナット設置工程）。
【００７４】
続いて、ナット設置工程で設置されたナット７の第２のメスネジ部１７に、第２のオスネジ９の基端部を螺合させて設置する（第２のオスネジ設置工程）。
【００７５】
続いて、オスネジ・ナット用孔１９が設けられている第２の部材１１を、第１のオスネジ５とナット７と第２のオスネジ９とがオスネジ・ナット用孔１９内に入るともに、第１の部材３に接するように設置する（第２の部材設置工程）。
【００７６】
続いて、第２の部材設置工程での第２の部材１１の設置によって形成された、第２の部材１１のオスネジ・ナット用孔１９と第１のオスネジ５との間の第１の空間２１と、第２の部材１１のオスネジ・ナット用孔１９とナット７との間の第２の空間２３と、第２の部材１１のオスネジ・ナット用孔１９と第２のオスネジ９との間の第３空間２５とのお互いがつながっている３つの空間うちの少なくとも第３の空間２５に、充填材１３を充填し充填材を硬化させる（充填材設置工程）。
【００７７】
ところで、第２のオスネジ９に貫通孔２６を設けることなく、第２の部材１１に貫通孔を設け、この貫通孔から各空間２１、２３、２５内に、充填材１３を注入してもよい。
【００７８】
また、上記説明では、第１の部材３に第２の部材１１を設置しているが、部材の接合構造１において、図６に示すように、第１の部材３に第２の部材１１と第３の部材１１Ａとを設置してもよい。第３の部材１１Ａは、第２の部材１１と同様にして第１の部材３に設置されている。
【００７９】
詳しく説明すると、図６に示す部材の接合構造１は、第１のオスネジ５と第１のナット７と第２のオスネジ９と第２の部材１１と第１の充填材１３とを備えて構成されている。
【００８０】
第１のオスネジ５は、第１の部材３にたとえば一体的に設けられており、第１の部材３から、第１の部材３の両側（図６では上下両側）に突出している。
【００８１】
第１のナット７の第１のメスネジ部１５が第１の部材３の一方の側（図６では上側）に突出している第１のオスネジ５の先端部に螺合している。第２のオスネジ９は、この基端部が第１のナット７の第２のメスネジ部１７に螺合している。
【００８２】
第２の部材１１には、オスネジ・ナット用孔１９が設けられている。そして、第１の部材３の一方の側に突出している第１のオスネジ５と第１のナット７と第２のオスネジ９とがオスネジ・ナット用孔１９内に所定の位置および所定の姿勢で入るように、第２の部材１１が、第１の部材３に設置されている。
【００８３】
第１の充填材１３は、第２の部材１１のオスネジ・ナット用孔１９と第１の部材３の一方の側に突出している第１のオスネジ５との間の第１の空間２１と、第２の部材１１のオスネジ・ナット用孔１９と第１のナット７との間の第２の空間２３と、第２の部材１１のオスネジ・ナット用孔１９と第２のオスネジ９との間の第３空間２５とのお互いがつながっている３つの空間うちの少なくとも第３の空間２５に充填されている。
【００８４】
なお、上述したように、第１の充填材１３が、各空間２１、２３、２５の総てに充填されていることが望ましい。また、第１の部材３と第２の部材１１との間のスペーサ３３は、設けられていてもよいし、削除されていてもよい。
【００８５】
第３の部材１１Ａは、たとえば、第１の部材３に対して第２の部材１１と対称になって第１の部材３に設けられている。
【００８６】
すなわち、図６で示す部材の接合構造１は、第３の部材１１Ａと第２のナット７Ａと第３のオスネジ９Ａと第２の充填材１３Ａとを備えて構成されている。
【００８７】
第２のナット７Ａの第３のメスネジ部１５Ａが第１の部材３の他方の側（図６では下側）に突出している第１のオスネジ５の先端部に螺合している。第３のオスネジ９Ａは、この基端部が第２のナット７Ａの第４のメスネジ部１７Ａに螺合している。
【００８８】
第３の部材１１Ａには、オスネジ・ナット用孔１９Ａが設けられている。そして、第１の部材３の他方の側に突出している第１のオスネジ５と第２のナット７Ａと第３のオスネジ９Ａとがオスネジ・ナット用孔１９Ａ内に所定の位置および所定の姿勢で入るように、第３の部材１１Ａが、第１の部材３に設置されている。
【００８９】
第２の充填材１３Ａは、第３の部材１１Ａのオスネジ・ナット用孔１９Ａと第１の部材３の他方の側に突出している第１のオスネジ５との間の第４の空間２１Ａと、第３の部材１１Ａのオスネジ・ナット用孔１９Ａと第２のナット７Ａとの間の第５の空間２３Ａと、第３の部材１１Ａのオスネジ・ナット用孔１９Ａと第３のオスネジ９Ａとの間の第６の空間２５Ａとのお互いがつながっている３つの空間２１Ａ、２３Ａ、２５うちの少なくとも第６の空間２５Ａに充填されている。
【００９０】
なお、上述したように、第２の充填材１３Ａが、各空間２１Ａ、２３Ａ、２５Ａの総てに充填されていることが望ましい。また、第１の部材３と第３の部材１１Ａとの間のスペーサ３３は、設けられていてもよいし、削除されていてもよい。
【符号の説明】
【００９１】
１  部材の接合構造
３  第１の部材
５  第１のオスネジ
７  ナット（第１のナット）
７Ａ  第２のナット
９  第２のオスネジ
９Ａ  第３のオスネジ
１１  第２の部材
１１Ａ  第３の部材
１３  充填材（第１の充填材）
１３Ａ  第２の充填材
１５  第１のメスネジ部
１５Ａ  第３のメスネジ部
１７  第２のメスネジ部
１７Ａ  第４のメスネジ部
１９  オスネジ・ナット用孔（第１のオスネジ・ナット用孔）
１９Ａ  第２のオスネジ・ナット用孔
２１  第１の空間
２１Ａ  第４の空間
２３  第２の空間
２３Ａ  第５の空間
２５  第３の空間
２５Ａ  第６の空間
２６  貫通孔
２７  貫通孔
２９  内部空間
３１  貫通孔
３３  スペーサ
３５  切り欠き
【図１】
2018197422.tif 000003
【図２】
2018197422.tif 000004
【図３】
2018197422.tif 000005
【図４】
2018197422.tif 000006
【図５】
2018197422.tif 000007
【図６】
2018197422.tif 000008